(57)【特許請求の範囲】
【請求項１】
１乃至複数の光源と、前記光源に点灯に必要な電力を供給する点灯装置と、前記光源及び前記点灯装置にそれぞれ設けられて互いを電気的に接続するための１乃至複数対の接続端子とを備え、前記光源又は前記点灯装置の少なくとも何れか一方は、複数対の前記接続端子を有し、前記光源と前記点灯装置との間には、電力を前記光源に供給する複数の電力供給経路が設けられ、前記光源側の接続端子と前記点灯装置側の接続端子との接続を切り替えることで前記電力供給経路を切り替えるように構成され、
前記光源は、前記点灯装置側の接続端子に対する取り付け角度を変更することで、前記光源側の接続端子と前記点灯装置側の接続端子との接続を切り替えるように構成され、
前記光源は面発光する面状光源であって、前記光源又は前記点灯装置の何れか一方の複数対の接続端子は、前記点灯装置の高圧側の出力端子に接続される一方の給電用の接続端子と、前記点灯装置の接地側の出力端子に接続される一方の接地用の接続端子とから成り、前記光源又は前記点灯装置の何れか他方の接続端子は、前記光源を設置する際に前記光源の中心位置に配置されて前記一方の接地用の接続端子に接続される他方の接地用の接続端子と、前記他方の接地用の接続端子を中心として周方向に沿って所定の間隔を空けて複数配置されるともに前記一方の給電用の接続端子に接続される他方の給電用の接続端子とから成り、前記光源を前記他方の接地用の接続端子を中心として回転させることで前記一方の給電用の接続端子と前記他方の給電用の接続端子との接続を切り替えることを特徴とする照明装置。
【請求項２】
前記光源には、前記光源側の接続端子と前記点灯装置側の接続端子との接続を切り替える切替スイッチが設けられることを特徴とする請求項１記載の照明装置。
【請求項３】
前記光源は、有機エレクトロルミネセンス素子から成ることを特徴とする請求項１又は２記載の照明装置。
【請求項４】
請求項１乃至３の何れか１項に記載の照明装置を備えたことを特徴とする照明器具。
【発明の詳細な説明】
【技術分野】
【０００１】
本発明は、照明装置及びそれを用いた照明器具に関する。
【背景技術】
【０００２】
近年、有機エレクトロルミネセンス素子（以下、「有機ＥＬ素子」と呼ぶ）を光源として、室内などの広い空間を照明する有機ＥＬ照明器具が要望されている。ここで、広い空間を照明するために、有機ＥＬ素子自体のサイズをそのまま大型化すると、有機ＥＬ素子を構成する有機発光層の膜厚を均一に形成することが困難になる。また、電極材料の抵抗による電圧降下等によって、発光むら（輝度むら）が発生し易いなどの不具合を生じる。
【０００３】
そこで、従来、単一の有機ＥＬ素子を１つの面発光モジュールとし、この面発光モジュールを多数列設し、受電端子、即ち、モジュール端子を並列に接続して点灯電力を供給することにより、広い空間を照明する照明器具が提案されている（例えば、特許文献１参照）。
【先行技術文献】
【特許文献】
【０００４】
【特許文献１】特開２００９−１５２００９号公報
【発明の概要】
【発明が解決しようとする課題】
【０００５】
ところで、デザイン性を考慮して面発光モジュール（光源）毎に光出力を変更したい場合には、光源毎に独立した光出力制御を行う必要がある。また、温度特性や光源の端部（光の重なりが少ない部分）によって生じる光源毎の光出力の差を補正して、全体として光出力を均一化したい場合にも、光源毎に独立した光出力制御を行う必要がある。しかしながら、上記従来例は、列設された複数の光源に一括して点灯電力を供給する構成であるため、光源毎に独立した光出力制御を行う場合には複雑な外部信号制御を必要とする。このため、複雑な外部信号制御を行うために必要な回路を設けることで回路が複雑化し、また、光出力制御の操作が複雑化するという問題があった。
【０００６】
本発明は、上記の点に鑑みて為されたもので、複雑な外部信号制御を要することなく光源毎に独立した光出力制御を容易に行うことのできる照明装置及びそれを用いた照明器具を提供することを目的とする。
【課題を解決するための手段】
【０００７】
本発明の照明装置は、１乃至複数の光源と、前記光源に点灯に必要な電力を供給する点灯装置と、前記光源及び前記点灯装置にそれぞれ設けられて互いを電気的に接続するための１乃至複数対の接続端子とを備え、前記光源又は前記点灯装置の少なくとも何れか一方は、複数対の前記接続端子を有し、前記光源と前記点灯装置との間には、電力を前記光源に供給する複数の電力供給経路が設けられ、前記光源側の接続端子と前記点灯装置側の接続端子との接続を切り替えることで前記電力供給経路を切り替えるように構成され、前記光源は、前記点灯装置側の接続端子に対する取り付け角度を変更することで、前記光源側の接続端子と前記点灯装置側の接続端子との接続を切り替えるように構成され、前記光源は面発光する面状光源であって、前記光源又は前記点灯装置の何れか一方の複数対の接続端子は、前記点灯装置の高圧側の出力端子に接続される一方の給電用の接続端子と、前記点灯装置の接地側の出力端子に接続される一方の接地用の接続端子とから成り、前記光源又は前記点灯装置の何れか他方の接続端子は、前記光源を設置する際に前記光源の中心位置に配置されて前記一方の接地用の接続端子に接続される他方の接地用の接続端子と、前記他方の接地用の接続端子を中心として周方向に沿って所定の間隔を空けて複数配置されるともに前記一方の給電用の接続端子に接続される他方の給電用の接続端子とから成り、前記光源を前記他方の接地用の接続端子を中心として回転させることで前記一方の給電用の接続端子と前記他方の給電用の接続端子との接続を切り替えることを特徴とする。
【００１０】
この照明装置において、前記光源には、前記光源側の接続端子と前記点灯装置側の接続端子との接続を切り替える切替スイッチが設けられることが好ましい。
【００１１】
この照明装置において、前記光源は、有機エレクトロルミネセンス素子から成ることが好ましい。
【００１２】
本発明の照明器具は、上記何れかの照明装置を備えたことを特徴とする。
【発明の効果】
【００１３】
本発明は、光源側の接続端子と点灯装置側の接続端子のとの接続を切り替えるだけで光源に電力を供給する電力供給経路を変更できるので、複雑な外部信号制御を要することなく光源毎に独立した光出力制御を容易に行うことができる。
【図面の簡単な説明】
【００１４】
【図１】本発明に係る照明装置の実施形態１を示す図で、（ａ）は全体概略図で、（ｂ）は光源の断面図である。
【図２】本発明に係る照明装置の実施形態２を示す図で、（ａ）は全体概略図で、（ｂ）は光源の外観斜視図で、（ｃ）は（ｂ）の一部省略した断面図である。
【図３】（ａ）〜（ｄ）は、それぞれ同上における光源の内部概略図である。
【図４】本発明に係る照明装置の実施形態３を示す図で、（ａ）は全体概略図で、（ｂ）は光源内部の回路概略図で、（ｃ）は光源内部の具体的な回路構成の一例を示す図で、（ｄ），（ｅ）はそれぞれ光源の配置例を示す光源の斜視図である。
【図５】同上の他の構成を示す図で、（ａ）は全体概略図で、（ｂ）は光源内部の回路図で、（ｃ）は光源の回転角度と光源側の接続端子との関係を示す表である。
【図６】同上の点灯装置に複数対の接続端子を設けた場合を示す全体概略図である。
【図７】本発明に係る照明装置の実施形態４を示す図で、（ａ）は全体概略図で、（ｂ）は光源の斜視図で、（ｃ）は（ｂ）の側面図で、（ｄ）は（ｂ）の分解斜視図で、（ｅ）は光源と点灯装置との接続関係を示すブロック図である。
【図８】本発明に係る照明装置の実施形態５を示す図で、（ａ）は要部説明図で、（ｂ）は光源内部の回路図で、（ｃ）は他の構成を示す概略図である。
【図９】（ａ），（ｂ）は、本発明に係る照明器具の実施形態の一例を示す全体概略図である。
【発明を実施するための形態】
【００１５】
（実施形態１）
以下、本発明に係る照明装置の実施形態１について図面を用いて説明する。本実施形態は、図１（ａ）に示すように、並列に接続される複数（図示では３つ）の光源１と、各光源１に点灯に必要な電力を供給する点灯装置２と、点灯装置２の高圧側の出力端子及び接地側の出力端子とそれぞれ電気的に接続される３本の給電レール３とを備える。
【００１６】
光源１は、有機ＥＬ素子を発光体とする有機ＥＬパネルであって、図１（ｂ）に示すように、発光パネル１０と、発光パネル１０を収納するとともに同図における上面を発光面１１Ａとする扁平な直方体状のケース１１とを備える。発光パネル１０は、ガラス基板１０Ａと、透明電極１０Ｂと、有機発光層１０Ｃと、金属電極１０Ｄと、透明電極１０Ｂ及び金属電極１０Ｄからそれぞれ引き出される１対のモジュール端子１０Ｅ，１０Ｆとから構成される。そして、有機発光層１０Ｃを透明電極１０Ｂと金属電極１０Ｄとで挟むことにより、有機層が形成される。
【００１７】
ガラス基板１０Ａは、有機発光層１０Ｃからの発光に対して透光性を有する。透明電極１０Ｂは、ＩＴＯ（Indium Tin Oxide）蒸着膜から成り、ガラス基板１０Ａと同様に有機発光層１０Ｃからの発光に対して透光性を有する。また、金属電極１０Ｄは、導電性の薄膜（例えば、アルミニウム蒸着膜）から成り、透光性を有する。透明電極１０Ｂは、一方のモジュール端子１０Ｅに接続されて陽極となり、金属電極１０Ｄは、他方のモジュール端子１０Ｆに接続されて陰極となる。モジュール端子１０Ｅ，１０Ｆは、光源１の図１（ａ）における上下に対称な位置に配設され、それぞれ給電線１００の一端が接続される。これらモジュール端子１０Ｅ，１０Ｆが、光源１側の接続端子を構成している。
【００１８】
なお、本実施形態では、光源１として有機ＥＬ素子を発光体とした有機ＥＬパネルを用いているが、無機ＥＬ素子を発光体とした無機ＥＬパネルを用いてもよい。また、光源１としては、ＬＥＤ及びＬＥＤからの出射光を導いて面発光させる導光板とを組み合わせた面光源ユニットを用いてもよい。更には、冷陰極蛍光灯を有する直下式又はエッジライト式の面光源ユニットを光源１として用いてもよい。
【００１９】
点灯装置２は、商用電源ＡＣ１からの交流電圧を整流する整流部２０と、整流部２０からの脈流電圧を直流電圧に変換して出力する直流電源部２１とを備える。また、点灯装置２には、直流電源部２１からの直流電圧を所望の電圧に変換して出力する第１の出力部２２と第２の出力部２３とが並列に接続されている。
【００２０】
整流部２０は、例えば４つのダイオード（図示せず）をフルブリッジ接続した回路から構成される。直流電源部２１は、例えばスイッチング素子（図示せず）を有するＰＦＣ回路から構成され、スイッチング素子は数十ｋＨｚ〜数百ｋＨｚで駆動する。なお、直流電源部２１は、上記のＰＦＣ回路の代わりに降圧チョッパ回路、昇圧チョッパ回路、昇降圧チョッパ回路などのチョッパ回路を用いてもよい。更には、整流部２０、直流電源部２１の代わりに単なる直流電源を点灯装置２として用いてもよい。
【００２１】
第１の出力部２２は、例えばＦＥＴから成るスイッチング素子Ｑ１と、ダイオードＤ１と、インダクタＬ１と、コンデンサＣ１とを備えた降圧チョッパ回路から構成され、スイッチング素子Ｑ１は数十ｋＨｚ〜数百ｋＨｚで駆動する。第２の出力部２３は、第１の出力部２２と同様に、スイッチング素子Ｑ２と、ダイオードＤ２と、コンデンサＣ２とを備えた降圧チョッパ回路から構成され、スイッチング素子Ｑ２は数十ｋＨｚ〜数百ｋＨｚで駆動する。
【００２２】
第１の出力部２２は、その出力側の接地端子に直列に接続されて負荷電流を検出するための検出抵抗Ｒ１を備える。そして、第１の出力部２２は、この検出抵抗Ｒ１に印加される電圧が反転入力端子に入力されるとともに、基準電圧源２２Ａからの基準電圧が非反転入力端子に入力される比較器２２Ｂを備える。したがって、これら検出抵抗Ｒ１、比較器２２Ｂによって、第１の出力部２２の出力電圧が一定の直流電圧となるようにスイッチング素子Ｑ１のオン／オフを切り替えてフィードバック制御される。
【００２３】
第２の出力部２３は、第１の出力部２２と同様に、検出抵抗Ｒ２と、この検出抵抗Ｒ２に印加される電圧が反転入力端子に入力されるとともに、基準電圧源２３Ａからの基準電圧が非反転入力端子に入力される比較器２３Ｂとを備える。したがって、第１の出力部２２と同様に、これら検出抵抗Ｒ２、比較器２３Ｂによって、第２の出力部２３の出力電圧が一定の直流電圧となるようにスイッチング素子Ｑ２のオン／オフを切り替えてフィードバック制御される。
【００２４】
ここで、第１の出力部２２の基準電圧源２２Ａの基準電圧と、第２の出力部２３の基準電圧源２３Ａの基準電圧とは互いに異なる大きさとなっている。したがって、第１の出力部２２を介して点灯装置２から光源１に供給される電力と、第２の出力部２３を介して点灯装置２から光源１に供給される電力とは互いに異なる。即ち、本実施形態では、第１の出力部２２を介する経路と、第２の出力部２３を介する経路とが電力供給経路を構成している。
【００２５】
なお、第１の出力部２２及び第２の出力部２３は、何れも降圧チョッパ回路に限定されるものではなく、直流電圧を出力するものであれば他の回路方式で構成されてもよい。例えば、第１の出力部２２及び第２の出力部２３をＰＷＭ制御によるスイッチング電源で構成した場合、オンデューティ比を変更することで出力電圧を可変することができる。このため、各光源１の光出力の調整や、調光制御を行うことができる。
【００２６】
給電レール３は、板状の導電部材から成り、天井又は壁に固定される。そして、３本の給電レール３のうち２本の給電レール３０，３１は、点灯装置２の第１の出力部２２の高圧側の出力端子と、第２の出力部２３の高圧側の出力端子とにそれぞれ接続されている。また、残りの１本の給電レール３２は、点灯装置２の各出力部２２，２３の接地側の出力端子に接続されている。即ち、１対の給電レール３０，３２と、１対の給電レール３１，３２とで複数対（本実施形態では２対）の点灯装置２側の接続端子を構成している。
【００２７】
したがって、高圧側の一方の給電レール３０と接地側の給電レール３２とにそれぞれ光源１のモジュール端子１０Ｅ，１０Ｆからの給電線１００の他端を接続することで、光源１に第１の出力部２２の出力電圧が印加され、光源１が発光する。同様に、高圧側の他方の給電レール３１と接地側の給電レール３２とにそれぞれ光源１のモジュール端子１０Ｅ，１０Ｆからの給電線１００の他端を接続することで、光源１に第２の出力部２３の出力電圧が印加され、光源１が発光する。このように、光源１のモジュール端子１０Ｅからの給電線１００の他端を高圧側の給電レール３０，３１の何れに接続するかで光源１の光出力を変更することができる。即ち、光源１側の接続端子と点灯装置２側の接続端子との接続を切り替えることで電力供給経路を切り替えることができる。
【００２８】
なお、光源１側の接続端子と点灯装置２側の接続端子とは、互いに電気的に接続可能な構成であればどのような構成であってもよい。また、例えば給電レール３に速結端子構造を設ければ、給電線１００の結線が容易になるために好ましい。
【００２９】
上述のように、本実施形態では、光源１側の接続端子と点灯装置２側の接続端子との接続を切り替えるだけで光源１に電力を供給する電力供給経路を変更できるので、複雑な外部信号制御を要することなく光源１毎に独立した光出力制御を容易に行うことができる。具体的に、本実施形態では、図１（ａ）に示すように、一方の高圧側の給電レール３０に中央を挟んだ両側の光源１が並列に接続され、残りの光源１が他方の高圧側の給電レール３１に接続されている。このため、中央の光源１を挟んだ両側の光源１は、その光出力を第１の出力部２２を介して一括して制御することができる。仮に、全ての光源１の光出力を第１の出力部２２を介して一括して制御したい場合には、中央の光源１に接続された給電線１００の他端を一方の高圧側の給電レール３０に接続するだけでよい。このように、本実施形態では、各光源１を給電レール３０〜３２に対して自由に取り付けることができるので、各光源１の光出力も容易に変更することができる。
【００３０】
ここで、光源１の光出力は、予め設定された電圧（電流）で制御してもよいし、外部信号やコントローラ等によって制御してもよい。外部信号やコントローラ等で制御する場合、同じ電力供給経路上にある光源１を一括で制御することができる。したがって、光源１毎に外部信号制御部やコントローラ等を設ける場合と比較して必要な部材及び回路を簡略化でき、また、同じ明るさが必要な光源１の光出力を一括して制御できる。
【００３１】
なお、外部信号制御部やコントローラ等は、電力供給経路毎に用意してもよい。また、初期設定や他のコントローラ等を用いて予め各電力供給経路での供給電力の比又は差等の関係を設定した状態で、１つのコントローラで各電力供給経路上にある光源１の光出力を一括して制御する構成であってもよい。また、上述の各制御をマイコンを用いて行ってもよい。
【００３２】
（実施形態２）
以下、本発明に係る照明装置の実施形態２について図面を用いて説明する。但し、本実施形態の基本的な構成は実施形態１と共通であるので、共通する部位には同一の番号を付して説明を省略する。本実施形態は、図２（ａ）に示すように、複数（図示では３つ）の光源１と、点灯装置２とを備え、各光源１に複数対（本実施形態では２対）の接続端子を設けている。なお、各光源１は点灯装置２に対して並列に接続されている。
【００３３】
光源１は、図２（ｂ），（ｃ）に示すように、発光パネル１０と、発光パネル１０を収納するとともに図２（ｂ）における上面（表面）を発光面１１Ａとする扁平な直方体状のケース１１とを備える。なお、本実施形態の発光パネル１０は、実施形態１の発光パネル１０とは異なり、金属電極１０Ｄに更にガラス層１０Ｇが積層されている。また、本実施形態では、ケース１１内に各種電子部品４０が実装されたプリント基板４が収納されており、これら電子部品４０により後述の電力供給経路を成す回路が構成されている。
【００３４】
発光パネル１０の１対のモジュール端子（図示せず）は、それぞれプリント基板４上に実装された回路の出力側の電極部（図示せず）に接続されている。そして、プリント基板４上に実装された回路の入力側の電極部には、ケース１１の図２（ａ）における上面（裏面）に露出する複数（図示では３つ）の給電側の端子部Ｖ１，Ｖ２と、接地側の端子部Ｇ１とが接続されている。これら端子部Ｖ１，Ｖ２，Ｇ１は速結端子構造を有しており、点灯装置２からの給電線１００の一端が接続されるようになっている。即ち、１対の端子部Ｖ１，Ｇ１と、１対の端子部Ｖ２，Ｇ１とで複数対（本実施形態では２対）の光源１側の接続端子を構成している。
【００３５】
点灯装置２は、実施形態１と同様に、整流部（図示せず）と、直流電源部（図示せず）とを備える。そして、点灯装置２の高圧側の出力端子と接地側の出力端子とに、それぞれ給電線１００の他端が接続される。即ち、点灯装置２の高圧側の出力端子と接地側の出力端子とが、点灯装置２側の接続端子を構成している。
【００３６】
以下、光源１に内蔵された電力供給経路を成す回路について図面を用いて説明する。光源１の内部には、図３（ａ）に示すように、端子部Ｖ１，Ｖ２と発光パネル１０との間に設けられて点灯装置２から供給される直流電圧を所定の直流電圧に制御して出力する出力可変部１２が設けられている。出力可変部１２は、例えば降圧チョッパ回路やＰＷＭ制御によるスイッチング電源から成り、点灯装置２から供給される直流電圧を降圧又は昇圧して出力する。また、光源１の内部には、出力可変部１２に駆動用の直流電圧を供給する駆動電源部１３が設けられている。なお、出力可変部１２及び駆動電源部１３の接地側端子は、何れも接地側の端子部Ｇ１に接続されている。また、端子部Ｖ１と出力可変部１２の高圧側の入力端子との間には、端子部Ｖ２を介して流れる電流の逆流を防止するためのダイオードＤ３が挿入されている。
【００３７】
ここで、出力可変部１２には、端子部Ｖ１と接続される出力調整用端子１２Ａが設けられており、この出力調整用端子１２Ａに端子部Ｖ１を介して電圧が印加されると、出力可変部１２の出力電圧を所定の直流電圧に降圧する制御が行われる。したがって、点灯装置２の高圧側の出力端子と端子部Ｖ２とが接続される場合と、点灯装置２の高圧側の出力端子と端子部Ｖ１とが接続される場合とでは、出力可変部１２の出力電圧の大きさが異なってくる。即ち、本実施形態では、端子部Ｖ１及び出力可変部１２を介する経路と、端子部Ｖ２及び出力可変部１２を介する経路とがそれぞれ電力供給経路を構成している。このため、点灯装置２の高圧側の出力端子を端子部Ｖ１，Ｖ２の何れに接続するかを切り替えることで、電力供給経路を切り替えることができる。
【００３８】
上述のように、本実施形態では、光源１側の接続端子と点灯装置２側の接続端子との接続を切り替えるだけで光源１に電力を供給する電力供給経路を変更できるので、実施形態１と同様の効果を奏することができる。なお、出力可変部１２及び駆動電源部１３で電力供給経路を成す回路を構成する代わりに、図３（ｂ）に示すように、第１の出力部２２と第２の出力部２３とで電力供給経路を成す回路を構成してもよい。ここで、第１の出力部２２と発光パネル１０との間、及び第２の出力部２３と発光パネル１０との間には、それぞれ逆流防止用のダイオードＤ３が挿入されている。この構成の場合は、点灯装置２の高圧側の出力端子を端子部Ｖ１，Ｖ２の何れに接続するかを切り替えることで、第１の出力部２２を介する電力供給経路と第２の出力部２３を介する電力供給経路とを切り替えることができる。
【００３９】
また、図３（ｃ）に示すように、光源１内部に複数（図示では２枚）の発光パネル１０を設け、一方の発光パネル１０を第１の出力部２２の出力端子と接続し、他方の発光パネル１０を第２の出力部２３の出力端子と接続する構成であってもよい。この構成の場合、点灯装置２の高圧側の出力端子と端子部Ｖ１とが接続されると、一方の発光パネル１０が発光する。そして、点灯装置２の高圧側の出力端子と端子部Ｖ２とが接続されると、他方の発光パネル１０が発光する。このため、点灯装置２の高圧側の出力端子を端子部Ｖ１，Ｖ２の何れに接続するかを切り替えることで、光源１の光出力を切り替えることができる。このとき、各発光パネル１０の発光色を互いに異なる色にしておけば、点灯装置２の高圧側の出力端子を端子部Ｖ１，Ｖ２の何れに接続するかを切り替えることで、光源１の発光色を切り替えることができる。
【００４０】
更に、図３（ｄ）に示すように、端子部Ｖ１と第１の出力部２２との間を逆流防止用のダイオードＤ３を介して接続し、端子部Ｖ２と第１の出力部２２との間に同じく逆流防止用のダイオードＤ３を挿入する構成であってもよい。この構成の場合、点灯装置２の高圧側の出力端子と端子部Ｖ２とが接続されると、一方の発光パネル１０が発光する。そして、点灯装置２の高圧側の出力端子と端子部Ｖ１とが接続されると、両方の発光パネル１０が発光する。このため、上記と同様に、点灯装置２の高圧側の出力端子を端子部Ｖ１，Ｖ２の何れに接続するかを切り替えることで、光源１の光出力又は発光色を切り替えることができる。
【００４１】
（実施形態３）
以下、本発明に係る照明装置の実施形態３について図面を用いて説明する。但し、本実施形態の基本的な構成は実施形態２と共通であるので、共通する部位には同一の番号を付して説明を省略する。本実施形態は、図４（ａ）に示すように、光源１と、点灯装置２とを備え、光源１のケース１１の同図における下面（裏面）に複数対（本実施形態では４対）の接続端子を設けている。
【００４２】
光源１は、実施形態２と同様に、発光パネル１０（図４（ｂ）参照）と、後述する電力供給回路を成す回路が実装されたプリント基板（図示せず）とを平面視正方形状のケース１１に収納して成る。また、ケース１１の裏面の中心部には、後述する接地用の接点部２Ａが接続される接地側の端子部Ｇ１が設けられている。そして、この端子部Ｇ１を中心として、後述する給電用の接点部２Ｂが接続される４つの給電用の端子部Ｖ１〜Ｖ４が、周方向に沿って等間隔に設けられている。即ち、各々対となる端子部Ｖ１，Ｇ１、端子部Ｖ２，Ｇ１、端子部Ｖ３，Ｇ１、端子部Ｖ４，Ｇ１が光源１側の接続端子を構成している。
【００４３】
点灯装置２は、実施形態１と同様に、整流部（図示せず）と、直流電源部（図示せず）とを備える。そして、点灯装置２の高圧側の出力端子と接地側の出力端子とに、光源１の接地用の端子部Ｇ１、及び給電用の端子部Ｖ１〜Ｖ４の何れかとそれぞれ接続される接地用の接点部２Ａと、給電用の接点部２Ｂとが接続されている。即ち、接地用の接点部２Ａと給電用の接点部２Ｂとが、点灯装置２側の接続端子を構成している。
【００４４】
なお、光源１側の端子部Ｖ１〜Ｖ４，Ｇ１と点灯装置２側の接点部２Ａ，２Ｂとは、互いに電気的に接続できる構成であればよい。例えば、端子部Ｖ１〜Ｖ４，Ｇ１を棒状のピン端子で構成し、接点部２Ａ，２Ｂをピン端子が挿入されるコネクタで構成してもよい。
【００４５】
以下、光源１に内蔵された電力供給経路を成す回路について図面を用いて説明する。光源１の内部には、図４（ｂ）に示すように、端子部Ｖ１〜Ｖ４と発光パネル１０との間に出力可変部１２が設けられている。そして、光源１の内部には、端子部Ｖ１〜Ｖ３に接続されるとともに、端子部Ｖ１〜Ｖ３の何れに接続されているかに応じて出力可変部１２の出力電圧を制御する出力制御部１４が設けられている。また、各端子部Ｖ１〜Ｖ３と出力可変部１２との間には、それぞれ逆流防止用のダイオードＤ３を挿入している。
【００４６】
なお、出力制御部１４には、各端子部Ｖ１〜Ｖ３に対応した３つの入力端子１４Ａ〜１４Ｃが設けられており、出力制御部１４は、どの入力端子１４Ａ〜１４Ｃに電圧が印加されたかに応じて出力可変部１２の出力電圧が互いに異なる大きさとなるように制御する。即ち、本実施形態では、端子部Ｖ１及び出力可変部１２を介する経路と、端子部Ｖ２及び出力可変部１２を介する経路と、端子部Ｖ３及び出力可変部１２を介する経路と、端子部Ｖ４及び出力可変部１２を介する経路とが、それぞれ電力供給経路を構成している。このため、給電用の接点部２Ａを端子部Ｖ１〜Ｖ４の何れに接続するかを切り替えることで、電力供給経路を切り替えることができる。
【００４７】
ここで、上記の回路とは別に、光源１に内蔵された電力供給経路を成す回路の具体的な回路構成の一例を図４（ｃ）に示す。同図において、各端子部Ｖ１〜Ｖ４は、それぞれ逆流防止用のダイオードＤ３を介して出力可変部１２の高圧側の入力端子に接続されている。また、各端子部Ｖ１〜Ｖ４と接地用の端子部Ｇ１との間には、それぞれ２つの抵抗を直列に接続した直列抵抗回路１６が接続されている。
【００４８】
各端子部Ｖ１〜Ｖ４は、それぞれ一定の直流電圧を出力する調整用電源部１５に接続されている。調整用電源部１５は、何れかの端子部Ｖ１〜Ｖ４を介して点灯装置２から供給される直流電圧を所定の直流電圧に降圧して出力する。この調整用電源部１５の出力端子には抵抗Ｒ０が接続されており、この抵抗Ｒ０に対して、抵抗Ｒ３，Ｒ４の直列回路、抵抗Ｒ３，Ｒ５の直列回路、抵抗Ｒ３，Ｒ６の直列回路、抵抗Ｒ３，Ｒ７の直列回路が並列に接続されている。なお、抵抗Ｒ４〜Ｒ７の抵抗値は互いに異なる抵抗値となっている。
【００４９】
そして、各抵抗Ｒ４〜Ｒ７に対して、例えばＦＥＴから成るスイッチング素子Ｑ３〜Ｑ６がそれぞれ並列に接続されている。これらスイッチング素子Ｑ３〜Ｑ６は、それぞれ直列抵抗回路１６で分圧された電圧によりオン／オフを切り替えるように構成されている。例えば、接点部２Ｂと端子部Ｖ１とが接続された場合には、スイッチング素子Ｑ３がオンに切り替わり、他のスイッチング素子Ｑ４〜Ｑ６はオフの状態を維持する。
【００５０】
抵抗Ｒ０と、抵抗Ｒ０に対して並列に接続された各直列回路との接続点は、出力可変部１２の出力調整用端子１２Ａに接続されている。したがって、この出力調整用端子１２Ａには、調整用電源部１５の出力電圧を抵抗Ｒ０と上記並列に接続された直列回路とで分圧した電圧が入力される。出力可変部１２は、出力調整用端子１２Ａに入力される電圧値に応じて所定の直流電圧を出力するように構成される。
【００５１】
ここで、抵抗Ｒ０に対して並列に接続される各直列回路の合成抵抗をＺ１とすると、合成抵抗Ｚ１は、その抵抗値がスイッチング素子Ｑ３〜Ｑ７のオン／オフに応じて変動する。例えば、スイッチング素子Ｑ３がオンの場合には、抵抗Ｒ３の抵抗Ｒ４との接続点がスイッチング素子Ｑ３を介して接地用の端子部Ｇ１に接続されるため、抵抗Ｒ４の抵抗値の分だけ合成抵抗Ｚ１の抵抗値が変動する。同様に、スイッチング素子Ｑ４がオンの場合、スイッチング素子Ｑ５がオンの場合、スイッチング素子Ｑ６がオンの場合では、それぞれ抵抗Ｒ５，Ｒ６，Ｒ７の抵抗値の分だけ合成抵抗Ｚ１の抵抗値が変動する。即ち、給電用の接点部２Ｂを何れの端子部Ｖ１〜Ｖ４に接続するかによって、合成抵抗Ｚ１の抵抗値がそれぞれ互いに異なる抵抗値となるので、出力調整用端子１２Ａの入力電圧もそれぞれ互いに異なる電圧値となる。
【００５２】
したがって、給電用の接点部２Ｂを何れの端子部Ｖ１〜Ｖ４に接続するかによって、出力可変部１２の出力電圧が互いに異なる大きさとなる。このため、給電用の接点部２Ｂを端子部Ｖ１〜Ｖ４の何れに接続するかを切り替えることで、光源１の光出力を切り替えることができる。
【００５３】
本実施形態では、光源１を設置する際に接点部２Ａ，２Ｂに対する光源１の取り付け角度を変更することで、光源１側の接続端子である給電用の端子部Ｖ１〜Ｖ４と点灯装置２側の接続端子である給電用の接点部２Ｂとの接続を切り替えることができる。例えば、接地用の接点部２Ａと端子部Ｇ１とを接続し、給電用の接点部２Ｂと端子部Ｖ１とを接続した状態を基準（回転角度０度）として、光源１を反時計回りに９０度回転させると、給電用の接点部２Ｂと端子部Ｖ２とが接続される。同様に、光源１を基準位置から反時計回りに１８０度回転させると、給電用の接点部２Ｂと端子部Ｖ３とが接続され、光源１を基準位置から反時計回りに２７０度回転させると、給電用の接点部２Ｂと端子部Ｖ４とが接続される。
【００５４】
上述のように、本実施形態では、光源１を接地用の端子部Ｇ１を中心として回転させることで給電用の端子部Ｖ１〜Ｖ４と給電用の接点部２Ｂとの接続を切り替えることができる。したがって、光源１を回転させるだけで光源１に電力を供給する電力供給経路を変更できるので、光源１の光出力を容易に変更することができる。例えば、図４（ｄ）に示すように、３つの光源１を同図の左右方向に沿って並列に設置した場合に、基準（回転角度が０度）の光源Ａ１を中心とし、その両側に９０度回転させた光源Ａ２を配置する。このように光源Ａ１，Ａ２を配置することで、光源Ａ１と光源Ａ２とで光出力を互いに異ならせることができるので、例えば端部にある光源Ａ２の光出力を中心の光源Ａ１の光出力よりも大きくする等、配光を容易に変更することができる。
【００５５】
また、図４（ｅ）に示すように、９つの光源１を３行×３列の形で設置した場合に、基準の光源Ａ１を中心とし、その同図における上下左右の両側に９０度回転させた光源Ａ２を配置し、対角線上の四隅に１８０度回転させた光源Ａ３を配置する。このように光源Ａ１〜Ａ３を配置することで、例えば光源Ａ１から離れるに従って光源Ａ２，Ａ３の光出力を光源Ａ１の光出力よりも大きくする等、配光を容易に変更することができる。
【００５６】
なお、本実施形態では、光源１のケース１１を平面視正方形状に形成しているが、例えば平面視三角形状、五角形状などの多角形状で形成してもよい。この場合、ケース１１の角部の数に応じて端子部の数を変更すればよい。例えば、ケース１１が平面視三角形状であれば、１つの接地用の端子部Ｇ１を中心として３つの端子部Ｖ１〜Ｖ３を配設すればよい。
【００５７】
ところで、図５（ａ）に示すように、光源１側に１つの接地用の端子部Ｇ１と、３つの給電用の端子部Ｖ１〜Ｖ３とを設け、点灯装置２側に１つの接地用の接点部２Ａと、２つの給電用の端子部２Ｂ，２Ｃとを設けるように構成してもよい。即ち、光源１側の接続端子を上述の４対の端子部から３対の端子部に減らし、代わりに点灯装置２側の接続端子を上述の１対の接点部から２対の接点部に増やしている。
【００５８】
この構成では、光源１を設置する際に接点部２Ａ，２Ｂに対する光源１の取り付け角度を変更することで、光源１側の接続端子である給電用の端子部Ｖ１〜Ｖ３と点灯装置２側の接続端子である給電用の接点部２Ｂ，２Ｃとの接続を切り替えることができる。例えば、接地用の接点部２Ａと端子部Ｇ１とを接続し、給電用の接点部２Ｂ，２Ｃと端子部Ｖ１，Ｖ２とを接続した状態を基準として、光源１を時計回りに９０度回転させると、給電用の接点部２Ｂ，２Ｃと端子部Ｖ２，Ｖ３とが接続される。同様に、光源１を基準位置から時計回りに１８０度回転させると、給電用の接点部２Ｂと端子部Ｖ３とが接続され、光源１を基準位置から時計回りに２７０度回転させると、給電用の接点部２Ｃと端子部Ｖ１とが接続される。
【００５９】
以下、上記構成の場合の光源１に内蔵された電力供給経路を成す回路の具体的な回路構成の一例を図５（ｂ）に示す。但し、図５（ｂ）に示す回路の基本的な構成は図４（ｃ）に示す回路構成と共通であるので、共通する部位には同一の番号を付して説明を省略する。図５（ｂ）において、給電用の端子部Ｖ１，Ｖ２と接地用の端子部Ｇ１との間には、それぞれ直列抵抗回路１６が接続されている。また、抵抗Ｒ０に対しては、抵抗Ｒ３，Ｒ４の直列回路と、抵抗Ｒ３，Ｒ５の直列回路とが並列に接続されており、抵抗Ｒ３と抵抗Ｒ４との接続点、及び抵抗Ｒ３と抵抗Ｒ５との接続点には、それぞれスイッチング素子Ｑ３，Ｑ４が接続されている。なお、端子部Ｖ３には直列抵抗回路１６は接続されておらず、図４（ｃ）に示すような抵抗Ｒ３，Ｒ６の直列回路、及びスイッチング素子Ｑ５も接続されていない。
【００６０】
ここで、抵抗Ｒ０に対して並列に接続される各直列回路の合成抵抗をＺ２とすると、合成抵抗Ｚ２は、その抵抗値がスイッチング素子Ｑ３，Ｑ４のオン／オフに応じて変動する。例えば、抵抗Ｒ０，Ｒ３，Ｒ４，Ｒ５の抵抗値をそれぞれ１ｋΩ，１ｋΩ，１ｋΩ，１０ｋΩとし、調整用電源部１５の出力電圧を１３Ｖとする。この場合、図５（ｃ）に示すように、スイッチング素子Ｑ３，Ｑ４が何れもオンの場合、何れもオフの場合、何れか一方のみがオンの場合でそれぞれ合成抵抗Ｚ２の抵抗値が互いに異なる大きさとなる。したがって、出力調整用端子１２Ａの入力電圧も、上記各々の場合で互いに異なる大きさとなる。
【００６１】
即ち、光源１を端子部Ｇ１を中心として回転させて各端子部Ｖ１〜Ｖ３と各接点部２Ｂ，２Ｃとの接続を切り替えることで、各スイッチング素子Ｑ３，Ｑ４のオン／オフを切り替えて出力調整用端子１２Ａの入力電圧の大きさを変更することができる。ここで、出力調整用端子１２Ａの入力電圧の大きさは、光源１側の端子部が少なくなっているにも関わらず上記実施形態と同じ４パターンに変更可能である。したがって、上記構成では、光源１側の端子部を少なくすることができるので、光源１に内蔵された電力供給経路を成す回路の部品点数を削減することができ、結果として光源１の小型化及び薄型化を図ることができる。
【００６２】
また、図６に示すように、光源１側に１つの接地用の端子部Ｇ１と、１つの給電用の端子部Ｖ１とを設け、点灯装置２側に１つの接地用の接点部２Ａと、４つの給電用の接点部２Ｂ〜２Ｅとを設けるように構成してもよい。即ち、光源１側に１対の接続端子を設け、点灯装置２側に複数対（同図では４対）の接続端子を設ける構成であってもよい。この場合でも、光源１側に複数対の接続端子を設けた場合と同様の効果を奏することができる。なお、この場合の点灯装置２の構成としては、例えば図６に示すように、その内部に互いに異なる直流電圧を出力する直流電源ＤＣ１〜ＤＣ４を設け、各直流電源ＤＣ１〜ＤＣ４にそれぞれ給電用の接点部２Ｂ〜２Ｅが接続される構成が考えられる。即ち、各給電用の接点部２Ｂ〜２Ｅにそれぞれ互いに異なる直流電力が供給される構成であればよい。
【００６３】
（実施形態４）
以下、本発明に係る照明装置の実施形態４について図面を用いて説明する。但し、本実施形態の基本的な構成は実施形態１と共通であるので、共通する部位には同一の番号を付して説明を省略する。また、本実施形態の説明では、図７（ｂ）に示す矢印により上下左右方向、及び前後方向を定めるものとする。本実施形態は、図７（ａ）〜（ｃ）に示すように、光源１は、複数枚（図示では４枚）の正方形状の発光パネル１Ａ〜１Ｄを前後方向に沿って積層した形でケース１１に収納される。そして、ケース１１内には、発光パネル１Ａの四辺に沿って複数対（図示では４対）の給電レール４０〜４７が配設されている。なお、各発光パネル１Ａ〜１Ｄは、何れも実施形態１の発光パネル１０と同じ構成である。
【００６４】
給電レール４０〜４７は、何れも前後方向に沿って長尺な板状の導電部材から成る。そして、図７（ａ）に示すように、発光パネル１Ａの右端部において、発光パネル１Ａを挟んで上下両側に配設される給電レール４０，４４は、それぞれ給電用の端子部Ｖ１、接地用の端子部Ｇ１を構成する。また、発光パネル１Ａの下端部において、発光パネル１Ａを挟んで左右両側に配設される給電レール４１，４５は、それぞれ給電用の端子部Ｖ２、接地用の端子部Ｇ２を構成する。また、発光パネルの左端部において、発光パネル１Ａを挟んで上下両側に配設される給電レール４２，４６は、それぞれ給電用の端子部Ｖ３、接地用の端子部Ｇ３を構成する。また、発光パネル１Ａの上端部において、発光パネル１Ａを挟んで左右両側に配設される給電レール４３，４７は、それぞれ給電用の端子部Ｖ４、接地用の端子部Ｇ４を構成する。
【００６５】
そして、給電用の端子部Ｖ１〜Ｖ４及び接地用の端子部Ｇ１〜Ｇ４の何れかの対に点灯装置２の高圧側の出力端子、及び接地側の出力端子を接続することで、点灯装置２から少なくとも何れか１枚の発光パネル１Ａ〜１Ｄに点灯電力が供給されて発光する。即ち、給電用の端子部Ｖ１〜Ｖ４及び接地用の端子部Ｇ１〜Ｇ４が光源１側の複数対（本実施形態では４対）の接続端子を構成し、点灯装置２の高圧側の出力端子、及び接地側の出力端子が点灯装置２側の１対の接続端子を構成している。また、点灯装置２の高圧側の出力端子、及び接地側の出力端子を給電用の端子部Ｖ１〜Ｖ４及び接地用の端子部Ｇ１〜Ｇ４の何れの対に接続するかによって、発光パネル１Ａ〜１Ｄへの電力供給経路を切り替えることができるようになっている。
【００６６】
ここで、図７（ｄ）に示すように、発光パネル１Ａの１対のモジュール端子（図示せず）が端子部Ｖ１，Ｇ１にそれぞれ給電線１００を介して接続されている状態を基準（回転角度０度）とする。すると、発光パネル１Ｂの各モジュール端子は、基準位置から時計回りに９０度回転した状態で端子部Ｖ２，Ｇ２にそれぞれ接続される。また、発光パネル１Ｃの各モジュール端子は、基準位置から時計回りに１８０度回転した状態で端子部Ｖ３，Ｇ３に接続される。また、発光パネル１Ｄの各モジュール端子は、基準位置から時計回りに２７０度回転した状態で端子部Ｖ４，Ｇ４に接続される。即ち、発光パネル１Ａ〜１Ｄを回転させることで、給電用の端子部Ｖ１〜Ｖ４及び接地用の端子部Ｇ１〜Ｇ４の対の何れに接続するかを切り替えることができる。
【００６７】
上述のように、本実施形態では、光源１側の接続端子と点灯装置２側の接続端子との接続を切り替えるだけで光源１に電力を供給する電力供給経路を変更できるので、実施形態１と同様の効果を奏することができる。例えば、図７（ｅ）に示すように、点灯装置２の高圧側の出力端子、及び接地側の出力端子を給電用の端子部Ｖ１及び接地用の端子部Ｇ１の対に接続すれば、発光パネル１Ａに点灯電力を供給して発光させることができる。このとき、各発光パネル１Ａ〜１Ｄの発光色を互いに異なる色にしておけば、点灯装置２側の接続端子を光源１側の接続端子の何れに接続するかを切り替えることで、光源１の発光色を切り替えることができる。
【００６８】
ところで、本実施形態では、図７（ｄ）に示すように、給電用の端子部Ｖ１〜Ｖ４及び接地用の端子部Ｇ１〜Ｇ４の各対に対して１枚ずつ発光パネル１Ａ〜１Ｄを接続しているが、各対に対して接続される発光パネル１Ａ〜１Ｄの枚数は１枚に限定されない。例えば、給電用の端子部Ｖ１及び接地用の端子部Ｇ１の対に対して２枚の発光パネル１Ａ，１Ｂを接続する構成などであってもよい。この構成に変更するには、発光パネル１Ｂを反時計回りに９０度回転させるだけでよい。したがって、各発光パネル１Ａ〜１Ｄを回転させるだけで発光させたい発光パネル１Ａ〜１Ｄの枚数を容易に変更することができる。
【００６９】
なお、本実施形態では、各発光パネル１Ａ〜１Ｄを正方形状に形成しているが、例えば三角形状、五角形状などの多角形状で形成してもよい。この場合、各発光パネル１Ａ〜１Ｄの辺の数に応じて端子部の数を変更すればよい。例えば、各発光パネル１Ａ〜１Ｄが三角形状であれば、６つの給電レール４０〜４５を用いて給電用の端子部Ｖ１〜Ｖ３及び接地用の端子部Ｇ１〜Ｇ３から成る３対の端子部を設ければよい。
【００７０】
（実施形態５）
以下、本発明に係る照明装置の実施形態５について図面を用いて説明する。但し、本実施形態の基本的な構成は実施形態２と共通であるので、共通する部位には同一の番号を付して説明を省略する。本実施形態は、図８（ａ），（ｂ）に示すように、光源１のケース１１の一面にスライド式の切替スイッチＳＷ１を設けたことに特徴がある。
【００７１】
光源１には、図８（ｂ）に示すように、点灯装置（図示せず）の高圧側の出力端子と接続される給電用の端子部Ｖ０と、接地側の出力端子と接続される接地用の端子部Ｇ０とが設けられている。また、光源１には、更に３つの給電用の端子部Ｖ１〜Ｖ３が設けられており、これら各端子部Ｖ１〜Ｖ３のうちの何れか１つと、給電用の端子部Ｖ０との接続を切り替えるものとして切替スイッチＳＷ１が用いられる。即ち、１対の端子部Ｖ１，Ｇ０と、１対の端子部Ｖ２，Ｇ０と、１対の端子部Ｖ３，Ｇ０とで複数対（本実施形態では３対）の光源１側の接続端子を構成している。また、点灯装置の高圧側の出力端子と接地側の出力端子とで、点灯装置側の接続端子を構成している。
【００７２】
切替スイッチＳＷ１は、図８（ａ）に示すように、ケース１１の一面に設けられた矩形状の通孔１１Ｂ内に配設され、同図における左右方向に沿ってスライド自在となっている。切替スイッチＳＷ１の裏面には、給電用の端子部Ｖ０と、給電用の端子部Ｖ１〜Ｖ３の何れか１つとを択一的に電気的に接続する接点（図示せず）が設けられている。したがって、切替スイッチＳＷ１を同図における左側にスライドさせると給電用の端子部Ｖ０，Ｖ１が電気的に接続され、同図における中央にスライドさせると給電用の端子部Ｖ０，Ｖ２が電気的に接続される。また、切替スイッチＳＷ１を同図における右側にスライドさせると、給電用の端子部Ｖ０，Ｖ３が電気的に接続される。
【００７３】
なお、切替スイッチＳＷ１及び通孔１１Ｂは、ケース１１の発光面以外の面に設けることで発光面を大きくとることができ、望ましい。また、切替スイッチＳＷ１はスライド式に限定される必要は無く、例えば回転式であってもよい。
【００７４】
以下、光源１に内蔵された電力供給経路を成す回路について図面を用いて説明する。光源１の内部には、図８（ｂ）に示すように、端子部Ｖ１〜Ｖ３と発光パネル１０との間に出力可変部１２が設けられている。そして、光源１の内部には、端子部Ｖ２，Ｖ３に接続されるとともに、端子部Ｖ２，Ｖ３の何れに接続されているかに応じて出力可変部１２の出力電圧を制御する出力制御部１４が設けられている。また、各端子部Ｖ２，Ｖ３と出力可変部１２との間には、それぞれ逆流防止用のダイオードＤ３を挿入している。
【００７５】
なお、出力制御部１４には、各端子部Ｖ２，Ｖ３に対応した２つの入力端子１４Ａ，１４Ｂが設けられており、出力制御部１４は、どの入力端子１４Ａ，１４Ｂに電圧が印加されたかに応じて出力可変部１２の出力電圧が互いに異なる大きさとなるように制御する。即ち、本実施形態では、端子部Ｖ１及び出力可変部１２を介する経路と、端子部Ｖ２及び出力可変部１２を介する経路と、端子部Ｖ３及び出力可変部１２を介する経路とが、それぞれ電力供給経路を構成している。このため、切替スイッチＳＷ１をスライドさせて端子部Ｖ０を端子部Ｖ１〜Ｖ３の何れに接続するかを切り替えることで、電力供給経路を切り替えることができる。
【００７６】
上述のように、本実施形態では、光源１側の接続端子と点灯装置２側の接続端子との接続を切り替えることで光源１に電力を供給する電力供給経路を変更できるので、実施形態１と同様の効果を奏することができる。特に、本実施形態では、切替スイッチＳＷ１をスライドさせるだけで電力供給経路を容易に変更することができる。
【００７７】
ところで、光源１側に１つの給電用の端子部Ｖ０を設け、点灯装置２側に３つの給電用の端子部Ｖ１〜Ｖ３を設けるように構成してもよい。即ち、光源１側に１対の接続端子を設け、点灯装置２側に複数対（同図では３対）の接続端子を設ける構成であってもよい。この場合でも、光源１側に複数対の接続端子を設けた場合と同様の効果を奏することができる。なお、この場合の点灯装置２の構成としては、例えば図８（ｃ）に示すように、その内部に互いに異なる直流電圧を出力する直流電源ＤＣ１〜ＤＣ３を設け、各直流電源ＤＣ１〜ＤＣ３にそれぞれ給電用の端子部Ｖ１〜Ｖ３が接続される構成が考えられる。即ち、各給電用の端子部Ｖ１〜Ｖ３にそれぞれ互いに異なる直流電力が供給される構成であればよい。
【００７８】
以下、本発明に係る照明器具の実施形態について簡単に説明する。なお、本実施形態の説明では、図９（ａ）における左右を左右方向とし、紙面手前側を前方向、紙面奥側を後方向と定めるものとする。本実施形態は、図９（ａ），（ｂ）に示すように、複数枚（本実施形態では３枚）の発光パネル１Ａ〜１Ｃを有する光源１と、光源１に点灯電力を供給する点灯装置（図示せず）とから成る照明装置を備える。なお、本実施形態の照明装置としては、上記各実施形態の何れを採用しても構わない。
【００７９】
光源１は、各発光パネル１Ａ〜１Ｃをそれぞれ収納する３つのケース１１を連結して構成される。隣接する各ケース１１の間には、それぞれ発光パネル１Ａに対して発光パネル１Ｂ，１Ｃを前傾可能とするヒンジ部６が設けられている。また、光源１の背面には、自身を俯角方向に回動自在に支持する支持部材（図示せず）が設けられており、支持部材には、照明器具の取付対象に引っ掛けられる引っ掛け部５が設けられている。
【００８０】
引っ掛け部５は、光源１の後方に延設されて点灯装置を構成する回路が収納される回路収納部５０と、回路収納部５０の後端に設けられて支持部材との間で照明器具の取付対象を挟み込む板状の挟み部５１とを備える。したがって、例えば照明器具の取付対象であるベッドのヘッドボードや、オフィス等で使用されるパーティション等を支持部材と挟み部５１とで挟み込むことで、本実施形態を取り付けることができる。
【００８１】
上述のように、本実施形態では、上記各実施形態のうちの何れかの照明装置を備えた照明器具を実現することができる。なお、照明器具としては本実施形態に限定される必要は無く、上記各実施形態のうちの何れかの照明装置を採用できるものであればよい。
【００８２】
ところで、配置された有機ＥＬ素子を発光体とする発光パネルの光出力の制御としては、例えば、隣接する発光パネルの数が少ない発光パネル程、印加される電圧又は電流を大きくする制御が考えられる。隣接する発光パネルの数が少ない発光パネルでは、周囲からの熱を受け難いことから低温となり、光出力が低下する。これは、有機ＥＬ素子のインピーダンスが温度に対して負の特性を有するからである。そこで、上記のように制御することで、隣接する発光パネルの数が少ない発光パネルの光出力の低下を補正し、全体として光出力を均一化することができる。また、隣接する発光パネルの数が少ない発光パネルでは、他の発光パネルからの光の重なりが少ないことから、暗く見える。そこで、上記のように制御することで、隣接する発光パネルの数が少ない発光パネルを明るくし、全体として光出力を均一化することができる。
【００８３】
一方、隣接する発光パネルの数が多い発光パネルでは、周囲からの熱を受け易いことから高温となり、劣化の進行が早く、短寿命となりがちである。そこで、隣接する発光パネルの数が多い発光パネル程、印加される電圧又は電流を小さくする制御が考えられる。このように制御することで、隣接する発光パネルの数が多い発光パネルの劣化の進行を遅くすることができ、光源全体の商品としての寿命を延ばすことができる。
【００８４】
ところで、上記とは逆に、隣接する発光パネルの数が多い発光パネル程、印加される電圧又は電流を大きくする制御も考えられる。このように制御する場合には、隣接する発光パネルの数が多くなる光源の中央部での光出力を大きくすることができるので、狭い範囲を集中的に照らしたり、光のメリハリをつけたりすることができる。
【符号の説明】
【００８５】
１  光源
２  点灯装置
３  給電レール（接続端子）
【図１】
0005771771.tif 000002
【図２】
0005771771.tif 000003
【図３】
0005771771.tif 000004
【図４】
0005771771.tif 000005
【図５】
0005771771.tif 000006
【図６】
0005771771.tif 000007
【図７】
0005771771.tif 000008
【図８】
0005771771.tif 000009
【図９】
0005771771.tif 000010